(57)【要約】      （修正有）【課題】ベースに対する振動遮断特性を損なうことなく、かつ組み立て性の向上を図ったディスク装置を提供する。【解決手段】筐体１に対して所定方向に移動可能に弾性支持されたベース３と、このベースに取り付けられディスクを回転駆動するスピンドル４と、導電性を有する材料で形成されディスクと平行に配置されると共にベースに対して離接する方向に移動可能に支持されたガイド軸５と、このガイド軸によりディスクの径方向に移動可能にガイドされディスクに対して情報の記録及び／又は再生を行うピックアップ６と、筐体に取り付けられた回路基板１１と、導電性を有する材料で形成されガイド軸を径方向に付勢すると共にガイド軸を回路基板のアース部に電気的に接続し、さらにベースの所定方向への移動を許容するスプリング９とを備える。【選択図】図１
2007133926.tif 000002
【特許請求の範囲】
【請求項１】
筐体に対して弾性支持されたベースと、このベースに取り付けられディスクを回転駆動するスピンドルと、導電性を有する材料で形成され前記ベースに対して離接する方向に移動可能に支持されたガイド軸と、このガイド軸により前記ディスクの径方向に移動可能にガイドされ前記ディスクに対して情報の記録及び／又は再生を行うピックアップと、前記筐体に取り付けられた回路基板と、導電性を有する材料で形成され前記ガイド軸を径方向に付勢すると共に前記ガイド軸を前記回路基板のアース部に電気的に接続し、さらに前記ベースの前記弾性支持に伴う移動を許容するスプリングと、を備えたことを特徴とするディスク装置。
【発明の詳細な説明】
【技術分野】
【０００１】
本発明は、ディスクに対して情報の記録及び／又は再生を行うディスク装置に関し、より詳しくは、ピックアップを回路基板に接地させる構造を改良したディスク装置に関する。
【背景技術】
【０００２】
従来、光ディスク等のディスクに情報の記録及び／又は再生を行うディスク装置において、ディスクに対して情報の読み取りや書き込みを行うピックアップを回路基板のアース部に接地させる構造としては、例えば図６に示すように、トラバースメカのベース１０１と回路基板１０２のアース部とをアース線１０３で接続しているものが一般的であったが、組み立て性に難が有り、改善が求められていた。
【０００３】
このような課題を解決するためのものとしては、例えば特開２００２−１０９８３８号公報に開示されたものがある。図７において、２０１はトラバースメカのベースで、筐体に対して弾性支持されている。このベース２０１には、一対のガイド軸２０２がベース２０１に離接する方向（径方向）に移動可能に支持されている。このガイド軸２０２の端部はスプリング２０３を介して押さえ金具２０４で径方向下方に付勢され、ベース２０１に螺着されたネジ２０５で下方から突き上げるようにされており、ネジ２０５を回転させることで、ガイド軸２０２をチルト調整するようになっている。
【０００４】
ガイド軸２０２にはピックアップ２０６が支持されている。このピックアップ２０６は、ガイド軸２０２によりディスクの径方向に移動可能にガイドされており、ディスクに対して情報の記録及び再生を行う。
【０００５】
押さえ金具２０４は、その一端が回路基板２０７に取り付けられたアースコネクタ２０８に差し込まれるようになっている。よって、図６のように長いアース線が必要無く、差込式で組み立てられるので、作業性の点でも有利である。
【特許文献１】特開２００２−１０９８３８号公報
【発明の開示】
【発明が解決しようとする課題】
【０００６】
特開２００２−１０９８３８号公報のものでは、押さえ金具２０４をアースコネクタ２０８に差し込む都合上、アースコネクタ２０８は回路基板２０７にリジッドに固定しておく必要がある。したがって、ベース２０１が所定方向に移動できなくなり、ベースを弾性支持しているクッション材の振動遮断特性を損なう可能性がある。
【０００７】
さらに、押さえ金具２０４をアースコネクタ２０８に差し込みながら組み立てなければならず、正確な位置決めが必要となるため、組み立てが面倒である。
【０００８】
本発明は上記課題を解決するためになされたもので、ベースに対する振動遮断特性を損なうことなく、かつ組み立て性の向上を図ったディスク装置を提供することにある。
【課題を解決するための手段】
【０００９】
上記課題を解決するために、本発明のディスク装置は、筐体に対して弾性支持されたベースと、このベースに取り付けられディスクを回転駆動するスピンドルと、導電性を有する材料で形成され前記ベースに対して離接する方向に移動可能に支持されたガイド軸と、このガイド軸により前記ディスクの径方向に移動可能にガイドされ前記ディスクに対して情報の記録及び／又は再生を行うピックアップと、前記筐体に取り付けられた回路基板と、導電性を有する材料で形成され前記ガイド軸を径方向に付勢すると共に前記ガイド軸を前記回路基板のアース部に電気的に接続し、さらに前記ベースの前記弾性支持に伴う移動を許容するスプリングと、を備えたことを特徴としている。
【発明の効果】
【００１０】
本発明によれば、ベースに対する振動遮断特性を損なうことなく、組み立て性の向上を図ることができる。
【発明を実施するための最良の形態】
【００１１】
以下、本発明の一実施形態を図面に基づいて説明する。図１は本発明の第１の実施形態であるディスク装置の内部構造を示す斜視図、図２は図１の要部拡大図、図３は図１のディスク装置の要部縦断面図である。
【００１２】
本実施形態のディスク装置のトラバースメカは、箱型の筐体１に複数の弾性部材２により所定方向に移動可能に弾性支持されたベース３と、このベース３に固定され光ディスク（図示せず）を回転駆動するスピンドル４と、導電性を有する材料で形成されベース３に対して水平かつ平行に支持された一対のガイド軸５と、このガイド軸５により前記光ディスクの径方向に移動可能にガイドされ前記光ディスクに対して情報の記録及び再生を行うピックアップ６と、このピックアップ６を前記光ディスクの径方向に駆動するフィード機構７とから成っている。
【００１３】
ピックアップ６をガイドするガイド軸５は、図２、図３に示すように、端部が軸受け８を介してベース３に対して離接する方向に移動可能に支持されており、スプリング９により径方向下方（ベース３側）に付勢されている。そして、ガイド軸５の下方には、ネジ１０がベース３に対して上下に移動可能に螺着されており、その上端はガイド軸５に接している。このネジ１０を回転させることで、ガイド軸５の位置を上下方向（ベース３に対して離接する方向）に調節することができる。これにより、ピックアップ６の姿勢を調節することができるものである。
【００１４】
そして、図１、図２に示すように、ピックアップ６が光ディスクに対して授受する信号を処理する電子回路を有する回路基板１１が筐体１に固定されており、この回路基板１１はアース部１１ａを有している。
【００１５】
スプリング９は導電性を有する材料で形成され、その一端９ａがガイド軸５を下方に付勢する付勢部とされ、他端９ｂが弾性により回路基板１１のアース部１１ａに接触させてある。これにより、ピックアップ６がガイド軸５及びスプリング９を介して回路基板１１に接地された状態となっている。
【００１６】
図６に示した従来例のように、アース線１０３をネジ１０４でベース１０１と回路基板１０２とに接続するような構造では、部品点数及び組み立て工数が増加し、コストアップになるという問題が有った。
【００１７】
また、ピックアップから回路基板１０２までのアースの経路は、ピックアップ、ガイド軸１０５、ベース１０１、アース線１０３、回路基板１０２の順となり、ピックアップから回路基板１０２までの間に多くの部品が介在するため、充分なアースをとることができず、回路基板１０２にノイズが発生する可能性が有った。
【００１８】
本実施形態では、ガイド軸５を付勢するスプリング９がピックアップ６を回路基板１１に接地させる部材を兼用しているので、ピックアップ６のアースをとるためのアース線を別に設ける必要がなく、部品点数を削減することができる。また、スプリング９を取り付けるだけで回路基板１１のアースをとれることから、組み立て工数を削減することができ、コストダウンを図ることができる。
【００１９】
また、ピックアップ６から回路基板１１までのアースの経路は、ピックアップ６、ガイド軸５、スプリング９、回路基板１１の順となり、ピックアップ６から回路基板１１までの部品点数を少なくすることができる。これにより、確実なアースをとることができ、回路基板１１のノイズを低減することができる。
【００２０】
さらに、図７に示した従来例のように、押さえ金具２０３を回路基板２０７に取り付けたコネクタ２０８に差し込む方式ではないので、組み立て時のスプリング９の位置決めがラフでよく、単純な組み立て作業でピックアップ６を回路基板１１にアース接続することができるため、組み立て作業が容易となる。
【００２１】
なお、前記トラバースメカは筐体１に対して弾性部材２によりこの弾性部材２が許容する範囲で移動可能に支持された制振構造となっているが、回路基板１１のアース部１１ａに接するスプリング９の端部９ｂは巻回部９ｃを設けることによってトーションバネ特性を持たせてあり、アースをとりつつ、弾性部材２で規制される範囲内でのベース３の移動を許容するので、その弾性部材２による制振効果を損なうことがない。
【００２２】
次に、本発明の第２の実施形態を説明する。図４は本発明の第２の実施形態の縦断面図である。なお、以下の各実施形態においては、それ以前に説明した実施形態と同一又は類似の部分には同一の符号を用いており、重複する説明を省略してある。
【００２３】
本実施形態では、トラバースメカのベース３の一端が弾性部材２Ａを介して筐体１に支持され、他端が弾性部材２Ｂを介してサブベース１２に支持されており、ベース３は弾性部材２Ａを中心として矢印Ｂ方向及びＣ方向に回動可能となっている。
【００２４】
サブベース１２は、その一端から水平に突出した凸部１２ａを有しており、その先端が筐体１の底面に立設された柱状の傾動部材１３の上面１３ａに接している。この傾動部材１３は、中心軸１３ｂを中心として回転することができるように筐体１に取り付けられており、上面１３ａは水平方向に対して所定角度傾斜している。
【００２５】
この傾動部材１３は、図示しない駆動手段により矢印Ａ方向に回転するようになっており、これが回転するとベース３が矢印Ｂ方向又はＣ方向に回動する。なお、ベース３が矢印Ｃ方向（下方向）に回動すると、図示しないトレイが装置外部に排出されるようになっている。このような構造は、トレイを介してディスクを出し入れするディスク装置に一般的に採用されている公知の構造であるので、詳しい説明は省略する。
【００２６】
ガイド軸５を径方向下方に付勢するスプリング９Ａ、９Ｂのうち、ベース３の回動中心である弾性部材２Ａに近いスプリング９Ａを常に回路基板１１のアース部に接触させておき、弾性部材２Ｂに近いスプリング９Ｂは回路基板１１に接触させず、ベース３に接触させるのみにしてある。
【００２７】
このような構造によれば、例えばトラバースメカのベース３がＣ方向に回動しても、スプリング９Ａは回動中心に近いため、変形量がきわめて小さく、回路基板１１に不要な負荷を与えることがない。一方、変形量の大きいスプリング９Ｂは回路基板１１に接触していないため、回路基板１１に負荷を与えることがない。したがって、回路基板１１の損傷等の不具合が発生するのを防止することができる。
【００２８】
次に、本発明の第３の実施形態を説明する。図５は本発明の第３の実施形態の縦断面図である
本実施形態では、回路基板１１上に断面Ｌ字形のブラケット１４が取り付けられている。このブラケット１４は導電性の有る材料で形成されており、回路基板１１のアース部に接触しているか、同電位となっている。そして、ブラケット１４の垂直壁１４ａの一方の面にスプリング９の端部９ｂが接触している。
【００２９】
このような構成によれば、スプリング９には回路基板１１から垂直方向に受ける荷重がほとんど無くなるので、トラバースメカにフォーカス方向への振動が伝わるのをほぼ断つことができる。したがって、ベース３を弾性支持している弾性部材の緩衝特性を損なう恐れがさらに低減する。
【００３０】
なお、上記の各実施形態ではトーションスプリングを用いているが、導電性の有るものであれば、板バネを用いてもよい。
【００３１】
また、上記の実施形態では、ディスクに対して情報の記録及び再生を行うディスク装置を例に挙げて説明したが、ディスクに対して情報の記録又は再生のいずれか一方を行うディスク装置にも本発明を適用することができる。
【００３２】
その他にも、本発明の要旨を逸脱しない範囲で上記実施形態に種々の改変を施すことができる。
【図面の簡単な説明】
【００３３】
【図１】本発明の第１の実施形態であるディスク装置の内部構造を示す斜視図。
【図２】図１の要部拡大図。
【図３】図１のディスク装置の要部縦断面図。
【図４】本発明の第２の実施形態であるディスク装置の縦断面図。
【図５】本発明の第３の実施形態であるディスク装置の要部の縦断面図。
【図６】従来のディスク装置の内部構造の要部の斜視図。
【図７】従来のディスク装置の内部構造の要部の縦断面図。
【符号の説明】
【００３４】
１  筐体
３  ベース
４  スピンドル
５  ガイド軸
６  ピックアップ
９  スプリング
１１  回路基板
【図１】
2007133926.tif 000003
【図２】
2007133926.tif 000004
【図３】
2007133926.tif 000005
【図４】
2007133926.tif 000006
【図５】
2007133926.tif 000007
【図６】
2007133926.tif 000008
【図７】
2007133926.tif 000009